【手続補正書】
【提出日】平成18年5月9日(2006.5.9)
【手続補正１】
【補正対象書類名】明細書
【補正対象項目名】特許請求の範囲
【補正方法】変更
【補正の内容】
【特許請求の範囲】
【請求項１】
クライアントに対するデータ提供処理を実行するサーバ装置であり、
クライアントとのデータ送受信を実行する通信部と、
動画コンテンツと、前記動画コンテンツに対応する属性情報としてのメタデータからなるコンテンツ情報と、前記動画コンテンツから選択された静止画データを格納したフィルムロールファイルと、前記フィルムロールファイルに格納された静止画データに対応するインデックス情報を格納したインデックス情報ファイルとを記憶した記憶部と、
クライアントからの要求に基づいてクライアントに対する送信データを生成する送信データ生成部とを有し、
前記フィルムロールファイルおよび前記インデックス情報ファイルの各々には、クライアントによって指定可能な識別情報が付与され、該識別情報は前記コンテンツ情報としてのメタデータの構成情報として設定されて前記記憶部に記憶され、
前記送信データ生成部は、クライアントからのデータ取得要求に格納されたフィルムロールファイル識別子またはインデックス情報ファイル識別子に基づいて、前記記憶部から対応データを取得し、クライアントに対する送信データを生成する構成であることを特徴とするサーバ装置。
【請求項２】
前記フィルムロールファイル識別子およびインデックス情報ファイル識別子はＵＲＩ（Uniform Resource Identifier）であり、
前記送信データ生成部は、
クライアントからのフィルムロールファイルＵＲＩまたはインデックス情報ファイルＵＲＩを指定したＨＴＴＰ(Hyper Text Transfer Protocol)−ＧＥＴメソッドに基づく処理を実行する構成であることを特徴とする請求項１に記載のサーバ装置。
【請求項３】
前記サーバ装置は、
クライアントからのフィルムロールファイル識別子を指定した静止画要求に、特定の静止画の選択送信を要求するシーク要求が含まれている場合に、前記フィルムロールファイルから前記シーク要求に応じた静止画データを選択取得する処理を実行するシーク情報処理部を有し、
前記送信データ生成部は、前記シーク情報処理部において選択取得した静止画データをクライアントに対する送信データとする構成であることを特徴とする請求項１に記載のサーバ装置。
【請求項４】
前記シーク要求は、動画コンテンツの基準位置からの時間情報またはオフセット情報であり、
前記シーク情報処理部は、前記フィルムロールファイルに格納された動画コンテンツの基準位置からの時間情報またはオフセット情報に基づいて前記フィルムロールファイルから前記シーク要求に応じた静止画データを選択取得する処理を実行する構成であることを特徴とする請求項３に記載のサーバ装置。
【請求項５】
前記インデックス情報ファイルは、前記フィルムロールファイルに格納された静止画データに対応するインデックス情報として、インデックス識別子、動画コンテンツの基準位置からの時間情報またはオフセット情報を含む構成であることを特徴とする請求項１に記載のサーバ装置。
【請求項６】
前記フィルムロールファイルは、前記動画コンテンツから選択された静止画データとインデックス識別子、動画コンテンツの基準位置からの時間情報またはオフセット情報を含む構成であることを特徴とする請求項１に記載のサーバ装置。
【請求項７】
前記サーバ装置は、さらに、
動画コンテンツに基づいて前記フィルムロールファイルおよびインデックス情報ファイルを生成するインデックス生成部を有し、
前記インデックス生成部は、動画コンテンツの各シーンの特徴シーンを抽出して、前記フィルムロールファイルに格納する静止画の選択処理を実行する構成であることを特徴とする請求項１に記載のサーバ装置。
【請求項８】
前記インデックス生成部は、動画コンテンツの各シーンの特徴シーンを、連続するシーンにおけるシーン変化量の大のシーンを抽出して、前記フィルムロールファイルに格納する静止画の選択処理を実行する構成であることを特徴とする請求項７に記載のサーバ装置。
【請求項９】
サーバに対するデータ取得要求を実行するクライアントとしての情報処理装置であり、
サーバとのデータ送受信を実行する通信部と、
サーバから受信したコンテンツ情報に含まれるコンテンツ識別子と、コンテンツから選択された静止画データを格納したフィルムロールファイルに対応するフィルムロールファイル識別子と、前記フィルムロールファイルに格納された静止画データに対応するインデックス情報を格納したインデックス情報ファイルに対応するインデックス情報ファイル識別子の各識別子または該識別子にリンクする表示データの生成処理を実行するコンテンツ情報解析部を有することを特徴とする情報処理装置。
【請求項１０】
前記フィルムロールファイル識別子およびインデックス情報ファイル識別子はＵＲＩ（Uniform Resource Identifier）であることを特徴とする請求項９に記載の情報処理装置。
【請求項１１】
前記情報処理装置は、
フィルムロールファイルＵＲＩまたはインデックス情報ファイルＵＲＩを指定したＨＴＴＰ(Hyper Text Transfer Protocol)−ＧＥＴメソッドを生成し送信する処理を実行する構成を有することを特徴とする請求項１０に記載の情報処理装置。
【請求項１２】
クライアントに対するデータ提供処理を実行する情報処理方法であり、
クライアントからのデータ取得要求を受信するステップと、
前記データ取得要求に格納された取得対象データ識別子が、コンテンツ識別子であるか、コンテンツから選択された静止画データを格納したフィルムロールファイルに対応するフィルムロールファイル識別子であるか、前記フィルムロールファイルに格納された静止画データに対応するインデックス情報を格納したインデックス情報ファイルに対応するインデックス情報ファイル識別子であるかを判定する識別子判定ステップと、
前記識別子判定ステップにおいて判定された識別子に応じて、記憶部から対応データを取得し、クライアントに対する送信データを生成する送信データ生成ステップと、
を有することを特徴とする情報処理方法。
【請求項１３】
前記フィルムロールファイル識別子およびインデックス情報ファイル識別子はＵＲＩ（Uniform Resource Identifier）であり、
前記送信データ生成ステップは、
クライアントからのフィルムロールファイルＵＲＩまたはインデックス情報ファイルＵＲＩを指定したＨＴＴＰ(Hyper Text Transfer Protocol)−ＧＥＴメソッドに基づく処理を実行することを特徴とする請求項１２に記載の情報処理方法。
【請求項１４】
前記情報処理方法は、さらに、
クライアントからのフィルムロールファイル識別子を指定した静止画要求に、特定の静止画の選択送信を要求するシーク要求が含まれている場合に、前記フィルムロールファイルから前記シーク要求に応じた静止画データを選択取得する処理を実行するシーク情報処理ステップを有し、
前記送信データ生成ステップは、前記シーク情報処理ステップにおいて選択取得した静止画データをクライアントに対する送信データとすることを特徴とする請求項１２に記載の情報処理方法。
【請求項１５】
前記シーク要求は、動画コンテンツの基準位置からの時間情報またはオフセット情報であり、
前記シーク情報処理ステップは、前記フィルムロールファイルに格納された動画コンテンツの基準位置からの時間情報またはオフセット情報に基づいて前記フィルムロールファイルから前記シーク要求に応じた静止画データを選択取得する処理を実行することを特徴とする請求項１４に記載の情報処理方法。
【請求項１６】
前記インデックス情報ファイルは、前記フィルムロールファイルに格納された静止画データに対応するインデックス情報として、インデックス識別子、動画コンテンツの基準位置からの時間情報またはオフセット情報を含むことを特徴とする請求項１２に記載の情報処理方法。
【請求項１７】
前記フィルムロールファイルは、前記動画コンテンツから選択された静止画データとインデックス識別子、動画コンテンツの基準位置からの時間情報またはオフセット情報を含む構成であることを特徴とする請求項１２に記載の情報処理方法。
【請求項１８】
前記情報処理方法は、さらに、
動画コンテンツに基づいて前記フィルムロールファイルおよびインデックス情報ファイルを生成するインデックス生成ステップを有し、
前記インデックス生成ステップは、動画コンテンツの各シーンの特徴シーンを抽出して、前記フィルムロールファイルに格納する静止画の選択処理を実行することを特徴とする請求項１２に記載の情報処理方法。
【請求項１９】
前記インデックス生成ステップは、動画コンテンツの各シーンの特徴シーンを、連続するシーンにおけるシーン変化量の大のシーンを抽出して、前記フィルムロールファイルに格納する静止画の選択処理を実行することを特徴とする請求項１８に記載の情報処理方法。
【請求項２０】
サーバに対するデータ取得要求を実行する情報処理方法であり、
サーバからコンテンツ情報を受信するステップと、
前記コンテンツ情報に含まれるコンテンツ識別子と、コンテンツから選択された静止画データを格納したフィルムロールファイルに対応するフィルムロールファイル識別子と、前記フィルムロールファイルに格納された静止画データに対応するインデックス情報を格納したインデックス情報ファイルに対応するインデックス情報ファイル識別子の各識別子または該識別子にリンクする表示データの生成処理を実行するステップと、
を有することを特徴とする情報処理方法。
【請求項２１】
前記フィルムロールファイル識別子およびインデックス情報ファイル識別子はＵＲＩ（Uniform Resource Identifier）であることを特徴とする請求項２０に記載の情報処理方法。
【請求項２２】
前記情報処理方法は、さらに、
フィルムロールファイルＵＲＩまたはインデックス情報ファイルＵＲＩを指定したＨＴＴＰ(Hyper Text Transfer Protocol)−ＧＥＴメソッドを生成し送信する処理を実行することを特徴とする請求項２１に記載の情報処理方法。
【請求項２３】
情報処理装置において、クライアントに対するデータ提供処理を実行させるコンピュータ・プログラムであり、
通信部において、クライアントからのデータ取得要求を受信させるステップと、
送信データ生成部において、前記データ取得要求に格納された取得対象データ識別子が、コンテンツ識別子であるか、コンテンツから選択された静止画データを格納したフィルムロールファイルに対応するフィルムロールファイル識別子であるか、前記フィルムロールファイルに格納された静止画データに対応するインデックス情報を格納したインデックス情報ファイルに対応するインデックス情報ファイル識別子であるかを判定させる識別子判定ステップと、
送信データ生成部において、前記識別子判定ステップにおいて判定された識別子に応じて、記憶部から対応データを取得し、クライアントに対する送信データを生成させる送信データ生成ステップと、
を実行させることを特徴とするコンピュータ・プログラム。
【請求項２４】
情報処理装置において、サーバに対するデータ取得要求を実行させるコンピュータ・プログラムであり、
通信部において、サーバからコンテンツ情報を受信させるステップと、
コンテンツ情報解析部において、前記コンテンツ情報に含まれるコンテンツ識別子と、コンテンツから選択された静止画データを格納したフィルムロールファイルに対応するフィルムロールファイル識別子と、前記フィルムロールファイルに格納された静止画データに対応するインデックス情報を格納したインデックス情報ファイルに対応するインデックス情報ファイル識別子の各識別子または該識別子にリンクする表示データの生成処理を実行させるステップと、
を実行させることを特徴とするコンピュータ・プログラム。
【手続補正２】
【補正対象書類名】明細書
【補正対象項目名】００４１
【補正方法】変更
【補正の内容】
【００４１】
さらに、本発明の第５の側面は、
情報処理装置において、クライアントに対するデータ提供処理を実行させるコンピュータ・プログラムであり、
通信部において、クライアントからのデータ取得要求を受信させるステップと、
送信データ生成部において、前記データ取得要求に格納された取得対象データ識別子が、コンテンツ識別子であるか、コンテンツから選択された静止画データを格納したフィルムロールファイルに対応するフィルムロールファイル識別子であるか、前記フィルムロールファイルに格納された静止画データに対応するインデックス情報を格納したインデックス情報ファイルに対応するインデックス情報ファイル識別子であるかを判定させる識別子判定ステップと、
送信データ生成部において、前記識別子判定ステップにおいて判定された識別子に応じて、記憶部から対応データを取得し、クライアントに対する送信データを生成させる送信データ生成ステップと、
を実行させることを特徴とするコンピュータ・プログラムにある。
【手続補正３】
【補正対象書類名】明細書
【補正対象項目名】００４２
【補正方法】変更
【補正の内容】
【００４２】
さらに、本発明の第６の側面は、
情報処理装置において、サーバに対するデータ取得要求を実行させるコンピュータ・プログラムであり、
通信部において、サーバからコンテンツ情報を受信させるステップと、
コンテンツ情報解析部において、前記コンテンツ情報に含まれるコンテンツ識別子と、コンテンツから選択された静止画データを格納したフィルムロールファイルに対応するフィルムロールファイル識別子と、前記フィルムロールファイルに格納された静止画データに対応するインデックス情報を格納したインデックス情報ファイルに対応するインデックス情報ファイル識別子の各識別子または該識別子にリンクする表示データの生成処理を実行させるステップと、
を実行させることを特徴とするコンピュータ・プログラムにある。